(57)【要約】  本発明は、開口部（１８）を内側に有するシート（１２）と、上記シートに座った幼児の体を支持するための支持構造（１４）と、上記シートの開口部が便器内に開口できるように便座に設置されることができるベース（１６）とを備えた幼児用トイレットトレーナ（１０）に関する。本発明の幼児用トイレットトレーナは、上記シート、支持構造、およびベースが一体構造であって、弾性材料から作られている点に特徴がある。この構成は、上記支持構造の少なくとも一部が、幼児の体重の影響を受けて上記シートに座っている幼児の方へ撓むことを可能とする。
2010516324.tif 000002
【特許請求の範囲】
【請求項１】
開口部を内側に有するシートと、
上記シートに座った幼児の体を支持するための支持構造と、
上記シートの開口部が便器内に開口できるように便座上に設置することができるベースと
を備え、
上記シート、上記支持構造、および上記ベースは、一体構造であり、かつ、弾性材料から作られていて、上記支持構造の少なくとも一部が、幼児の体重の影響を受けて上記シートに座っている幼児の方へ撓むことを可能とすることを特徴とする幼児用トイレットトレーナ。
【請求項２】
請求項１に記載の幼児用トイレットトレーナにおいて、
上記支持構造は、背もたれと、２つの側方支持部と、前方支持部とを備える幼児用トイレットトレーナ。
【請求項３】
請求項２に記載の幼児用トイレットトレーナにおいて、
上記支持構造は、幼児の両脚が上記シートから外方へ突出できるようにするために上記前方支持部と上記２つの側方支持部との間に形成された２つの脚溝を備える幼児用トイレットトレーナ。
【請求項４】
請求項３に記載の幼児用トイレットトレーナにおいて、
上記シートは、上記２つの脚溝の底部のレベルよりも低いレベルにある幼児用トイレットトレーナ。
【請求項５】
請求項１乃至４のいずれか１に記載の幼児用トイレットトレーナにおいて、
上記幼児用トイレットトレーナが便座上に設置されたとき、上記シートの開口部が上記便器内に開口するのを確実にするためのストップ構造を備える幼児用トイレットトレーナ。
【請求項６】
請求項１乃至５のいずれか１に記載の幼児用トイレットトレーナにおいて、
ポリウレタンから作られている幼児用トイレットトレーナ。
【発明の詳細な説明】
【技術分野】
【０００１】
本発明は幼児用トイレットトレーナに関する。特に、本発明は、従来の便座に設置することができる幼児用トイレットトレーナに関する。
【背景技術】
【０００２】
トイレを用いる方法を幼児に教えるために用いられるさまざまなトレーニング装置がある。一般的なトレーニング装置の１つの例は、レセプタクルと小さな子供がレセプタクルの上に座ることを可能とする便利なサイズのシートとを含むおまるである。これらのおまるは、携帯式で、幼児に従来のトイレットを用いることを教える際の準備デバイスとして使用するのに便利である。
【０００３】
通常用いられる他のタイプのトレーニング装置は、いわゆる幼児用トイレットトレーナである。標準トイレットトレーナは、通常は、従来の便座の上に安全にしっかりと設置することができるシート構造を備える。この幼児用トイレットトレーナは、従来の便座の開口部よりも小さい開口部を有し、それによって、使用中の便器の中に幼児がすべり落ちるのを防止している。
【発明の概要】
【発明が解決しようとする課題】
【０００４】
何人かの親が気づいた既存の幼児用トイレットトレーナの欠点は、従来の幼児用トイレットトレーナに座っているときに、幼児が不安がることがよくあるということである。本発明の目的は、代替幼児用トイレットトレーナを提供することによって、この問題に対処することである。
【課題を解決するための手段】
【０００５】
本発明によれば、
開口部を内側に有するシートと、
上記シートに座った幼児の体を支持するための支持構造と、
上記シートの開口部が便器内に開口できるように便座上に設置することができるベースと
を備え、
上記シート、上記支持構造、および上記ベースは、一体構造であり、かつ、弾性材料から作られていて、上記支持構造の少なくとも一部が、幼児の体重の影響を受けて上記シートに座っている幼児の方へ撓むことを可能とすることを特徴とする幼児用トイレットトレーナが提供される。
【０００６】
好ましくは、上記支持構造は、背もたれと、２つの側方支持部と、前方支持部とを備える。
【０００７】
より好ましくは、上記支持構造は、幼児の両脚が上記シートから外方へ突出できるようにするために上記前方支持部と上記２つの側方支持部との間に形成された２つの脚溝を備える。
【０００８】
上記シートが上記２つの脚溝の底部のレベルよりも低いレベルにあるのが都合がよい。
【０００９】
通常、上記幼児用トイレットトレーナは、この幼児用トイレットトレーナが便座上に設置されたとき、上記シートの開口部が上記便器内に開口するのを確実にするためのストップ構造を備える。
【００１０】
本発明の一実施形態では、上記幼児用トイレットトレーナはポリウレタンから作られている。
【００１１】
通常、上記幼児用トイレットトレーナは成形によって作られる。
【図面の簡単な説明】
【００１２】
本発明を、添付の図面を参照して、ほんの一例として、さらに詳細に説明する。
【図１】本発明に係る幼児用トイレットトレーナの上斜視図を示す。
【図２】幼児用トイレットトレーナの上面図を示す。
【図３】幼児用トイレットトレーナの底面図を示す。
【図４】幼児用トイレットトレーナの左側面図を示す。
【図５】幼児用トイレットトレーナの右側面図を示す。
【図６】幼児用トイレットトレーナの正面図を示す。
【図７】幼児用トイレットトレーナの背面図を示す。
【図８】幼児用トイレットトレーナの図２のＡ−Ａ線断面図を示す。
【図９】幼児用トイレットトレーナの図２のＢ−Ｂ線断面図を示す。
【図１０】幼児用トイレットトレーナの図２のＣ−Ｃ線断面図を示す。
【図１１】便座上に置かれ幼児が座っている本発明に係る幼児用トイレットトレーナの側面図を示す。
【図１２】幼児用トイレットトレーナがその上に座った幼児の体重の影響を受けて撓んだ図２のＣ−Ｃ線断面図である。
【発明を実施するための形態】
【００１３】
図１〜１０は、参照番号１０により示された本発明の幼児用トイレットトレーナを示す。この幼児用トイレットトレーナ１０は、図示のような形状を有し、シート１２、支持構造１４、およびベース１６を備える。
【００１４】
シート１２は、トイレットの使い方を教えられている幼児の臀部を支持するのに適したサイズを有する。シート１２は、使用中、尿または便が幼児用トイレットトレーナ１０を通過して便器のなかに溜まるようにできる開口部１８を有する。指摘すべきことは、開口部１８の寸法は、小さな子供がそこを滑って通過することができないようなものであることである。
【００１５】
支持構造１４は、シート１２に座った幼児の体を支持するための形状を有する。支持構造１４は、背もたれ２０と、２つの側方支持部２２と、前方支持部２４とを備える。支持構造１４は、前方支持部２４および２つの側方支持部２２との間に形成された２つの脚溝２６も含む。使用中、脚溝２６は、幼児用トイレットトレーナ１０に座っている幼児の両脚がシートから外方へ突出できるようにする。
【００１６】
本発明のこの実施形態において、シート１２は、２本の脚溝２６の底部のレベルより低いレベルにある。この構成は幼児が幼児用トイレットトレーナ１０に気持ちよく、そして、安全にしっかりと座ることを確実にするものであると考えられる。さらに、シートのレベルすなわち高さが脚溝２６の底部のレベルより低い限りこの効果があると考えられる。
【００１７】
本実施形態のベース１６は、従来の便座の上に設置することができる略平坦な底面２８を有する。具体的には、ベース１６により、幼児用トイレットトレーナ１０は、上記の理由で上記開口部が便器内に開口するような便座上の位置に配置されることができる。使用中、シート１２はベース１６によって、便座の内側エッジの間で、図示しない便器の内側に効果的に吊るされる。
【００１８】
幼児用トイレットトレーナ１０には、図示するように、その底部にストップ構造３０が更に設けられている。本実施形態において、このストップ構造は、２つの突出部３２を備える。ストップ構造３０の目的は、幼児用トイレットトレーナ１０を便器上の所定の位置に配置すること、そして、それが一旦所定位置に配置されると便器からすべり落ちるのを防止することである。
【００１９】
上記の幼児用トイレットトレーナ１０は成形により製造でき、それにより、シート１２、支持構造１４、ベース１６およびストップ構造３０を一体構造とできる。具体的には、それは、弾性材料、この場合はポリウレタンから作られる。その理由は、後に続く説明から明らかになるであろう。
【００２０】
ポリウレタンに精通している人にはわかるように、この材料は閉じた外スキン（outer skin)をもって成形されるが、多孔質性の内側領域を有する。上記スキンが幼児用トイレットトレーナ１０の有効なクリーニングを可能にする一方、内側多孔質構造は柔らかさ、しなやかさ（yielding property of softness）を外面に与えるので、それは、幼児用トイレットトレーナ１０を使用している幼児に快適さを提供する。
【００２１】
図１１は、トイレット３６の便座３４に支持された幼児用トイレットトレーナ１０を示す。幼児は、その両脚を脚溝２６から突き出して幼児用トイレットトレーナ１０に座っている。弾性材料（前記したように、これは、ポリウレタンである）の物理的特性により、更に、シート１２上の子供の体重が、支持構造１４特に側方支持部２２を、図１２に破線にて示したように、内側すなわち子供の体の方へ撓ませる。幼児用トイレットトレーナ１０のこの変形は、子供をしっかりと保持し、あるいは、少なくとも、しっかりと保持しているという印象をつくる。これが子供の精神に安心感を引き起こし、結果として、従来のトイレットを使用する不安のいくらかを軽減すると考えられる。
【図１】
2010516324.tif 000003
【図２】
2010516324.tif 000004
【図３】
2010516324.tif 000005
【図４】
2010516324.tif 000006
【図５】
2010516324.tif 000007
【図６】
2010516324.tif 000008
【図７】
2010516324.tif 000009
【図８】
2010516324.tif 000010
【図９】
2010516324.tif 000011
【図１０】
2010516324.tif 000012
【図１１】
2010516324.tif 000013
【図１２】
2010516324.tif 000014
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
開口部を内側に有するシートと、
上記シートに座った幼児の体を支持するための支持構造と、
上記シートの開口部が便器内に開口できるように便座上に設置することができるベースと
を備え、
上記シート、上記支持構造、および上記ベースは、一体構造であり、かつ、弾性ポリウレタンから作られており、上記シートは上記２つの脚溝の底部のレベルよりも低いレベルにあって、上記支持構造の少なくとも一部が、幼児の体重の影響を受けて上記シートに座っている幼児の方へ撓むことを可能とすることを特徴とする幼児用トイレットトレーナ。
【請求項２】
請求項１に記載の幼児用トイレットトレーナにおいて、
上記支持構造は、背もたれと、２つの側方支持部と、前方支持部とを備える幼児用トイレットトレーナ。
【請求項３】
請求項２に記載の幼児用トイレットトレーナにおいて、
上記支持構造は、幼児の両脚が上記シートから外方へ突出できるようにするために上記前方支持部と上記２つの側方支持部との間に形成された２つの脚溝を備える幼児用トイレットトレーナ。
【請求項４】
請求項１乃至３のいずれか１に記載の幼児用トイレットトレーナにおいて、
上記幼児用トイレットトレーナが便座上に設置されたとき、上記シートの開口部が上記便器内に開口するのを確実にするためのストップ構造を備える幼児用トイレットトレーナ。
【請求項５】
請求項１乃至４のいずれか１に記載の幼児用トイレットトレーナにおいて、
ポリウレタンから作られている幼児用トイレットトレーナ。
【国際調査報告】
2010516324.tif 000015
2010516324.tif 000016
2010516324.tif 000017